(57)【要約】【課題】窓の開き角度を固定するストッパ機構が目立たず、美観に優れる開き窓を提供する。【解決手段】窓枠１と、その窓枠１に上下方向の軸を中心として回動可能に取り付けられた窓２と、その窓２の下框２Ｂに長手方向に形成されたガイド溝５内にスライド自在に保持されるスライドプレート６と、そのスライドプレート６に回動可能に連結され、かつ前記窓枠１の下枠１Ｂに回動可能に連結された連結アーム８と、前記スライドプレート６を前記下框２Ｂに固定するロック手段とからなり、閉じた窓２の前記下框２Ｂと前記下枠１Ｂの間に前記連結アーム８を隠蔽して配置する構成の開き窓を採用した。【選択図】図１
2006283301.tif 000002
【特許請求の範囲】
【請求項１】
窓枠１と、その窓枠１に上下方向の軸を中心として回動可能に取り付けられた窓２と、その窓２の下框２Ｂに長手方向に形成されたガイド溝５内にスライド自在に保持されるスライドプレート６と、そのスライドプレート６に回動可能に連結され、かつ前記窓枠１の下枠１Ｂに回動可能に連結された連結アーム８と、前記スライドプレート６を前記下框２Ｂに固定するロック手段とからなり、閉じた窓２の前記下框２Ｂと前記下枠１Ｂの間に前記連結アーム８を隠蔽して配置した開き窓。
【請求項２】
前記ロック手段が、スライド方向に間隔をあけて前記スライドプレート６に形成された複数のロック孔１２と、そのロック孔１２に対して係脱可能に前記下框２Ｂに組み込まれたロックピン１３と、そのロックピン１３を前記ロック孔１２への係合方向に付勢するばね１４と、前記ロックピン１３を前記ロック孔１２から抜き取るロック解除機構とからなり、前記ロック孔１２に係合した前記ロックピン１３で前記スライドプレート６をロックするようにした請求項１に記載の開き窓。
【請求項３】
前記ロック解除機構の操作用摘み１５を、前記下框２Ｂから室内に露出させて設けた請求項２に記載の開き窓。
【請求項４】
窓枠２１と、その窓枠２１に上下方向の軸を中心として回動可能に取り付けられた窓２２と、前記窓枠２１の下枠２１Ｂに長手方向に形成されたガイド溝２５内にスライド自在に保持されるスライドプレート２６と、そのスライドプレート２６に回動可能に連結され、かつ前記窓２２の下框２２Ｂに回動可能に連結された連結アーム２８と、前記スライドプレート２６を前記下枠２１Ｂに固定するロック手段とからなり、閉じた窓２２の前記下框２２Ｂと前記下枠２１Ｂの間に前記連結アーム２８を隠蔽して配置した開き窓。
【請求項５】
前記ロック手段が、スライド方向に間隔をあけて前記スライドプレート２６に形成された複数のロック孔３２と、そのロック孔３２に対して係脱可能に前記下枠に組み込まれたロックピン３３と、そのロックピン３３を前記ロック孔３２への係合方向に付勢するばね３４と、前記ロックピン３３を前記ロック孔３２から抜き取るロック解除機構とからなり、前記ロック孔３２に係合した前記ロックピン３３で前記スライドプレート２６をロックするようにした請求項４に記載の開き窓。
【請求項６】
前記ロック解除機構の操作用摘み３５を、前記下枠１Ｂから室内に露出させて設けた請求項５に記載の開き窓。
【発明の詳細な説明】
【技術分野】
【０００１】
この発明は、窓の開き角度を固定することができる開き窓に関する。
【背景技術】
【０００２】
窓の開き角度を固定する開き窓用ストッパとして、図１６に示すように、窓の下框５０に回動可能に連結されたスライドバー５１と、そのスライドバー５１をスライド自在に支持するスライド台と、そのスライドバーをスライド台に固定するロック手段とを有し、スライド台を窓枠の下枠５２に回動可能に取り付けたものが一般的に用いられている。
【０００３】
しかし、この開き窓用ストッパは、窓を閉めてもスライドバーとスライド台が露出するので目立ちやすい。そのため、開き窓の意匠に調和せず、美観を損ねるという問題があった。
【発明の開示】
【発明が解決しようとする課題】
【０００４】
この発明が解決しようとする課題は、窓の開き角度を固定するストッパ機構が目立たず、美観に優れる開き窓を提供することである。
【課題を解決するための手段】
【０００５】
上記の課題を解決するために、ストッパ機構のスライドプレートを、窓の下框に形成されたガイド溝内に配置するともに、ストッパ機構の連結アームを、閉じた窓の下框と下枠の間に隠蔽して配置することにより目立たなくした。
【０００６】
具体的には、窓枠と、その窓枠に上下方向の軸を中心として回動可能に取り付けられた窓と、その窓の下框に長手方向に形成されたガイド溝内にスライド自在に保持されるスライドプレートと、そのスライドプレートに回動可能に連結され、かつ前記窓枠の下枠に回動可能に連結された連結アームと、前記スライドプレートを前記下框に固定するロック手段とからなり、閉じた窓の前記下框と前記下枠の間に前記連結アームを隠蔽して配置する構成を採用した。
【０００７】
この構成の開き窓は、スライドプレートのスライド方向の位置が窓の開き角度に応じて変化するので、ロック手段でスライドプレートを下框に固定することによって窓の開き角度を固定することができる。また、スライドプレートがガイド溝内に隠れて目立たず、連結アームも、窓を閉じると下框と下枠の間に隠れる。
【０００８】
前記ロック手段は、スライド方向に間隔をあけて前記スライドプレートに形成された複数のロック孔と、そのロック孔に対して係脱可能に前記下框に組み込まれたロックピンと、そのロックピンを前記ロック孔への係合方向に付勢するばねと、前記ロックピンを前記ロック孔から抜き取るロック解除機構とで構成すると好ましい。
【０００９】
このようにすると、ロックピンがロック孔に係合してスライドプレートをロックするので、スライドプレートが強固に固定され、強風などで窓に大きな力が作用しても窓の開き角度が変化しない。
【００１０】
また前記ロック解除機構の操作用摘みを、前記下框から室内に露出させて設けると好ましい。このようにすると、操作用摘みを持ちながら窓を閉じたときに、窓と窓枠の間に手を挟まず、安全である。
【００１１】
また、上記の課題を解決するために、ガイド溝を窓枠の下枠に形成し、そのガイド溝内に角度調整機構のスライドプレートを配置してもよい。
【００１２】
すなわち、窓枠と、その窓枠に上下方向の軸を中心として回動可能に取り付けられた窓と、前記窓枠の下枠に長手方向に形成されたガイド溝内にスライド自在に保持されるスライドプレートと、そのスライドプレートに回動可能に連結され、かつ前記窓の下框に回動可能に連結された連結アームと、前記スライドプレートを前記下枠に固定するロック手段とからなり、閉じた窓の前記下框と前記下枠の間に前記連結アームを隠蔽して配置する構成を採用してもよい。
【発明の効果】
【００１３】
この発明の開き窓は、スライドプレートがガイド溝内に隠れて目立たず、連結アームも閉じた窓と窓枠の間に隠れるので、美観に優れる。
【発明を実施するための最良の形態】
【００１４】
図１に、この発明の第１実施形態の開き窓を示す。この開き窓は、方形の窓枠１と、窓枠１に取り付けられた横開きの窓２とを有する。
【００１５】
窓枠１は、上下に向き合う上枠１Ｔおよび下枠１Ｂと、左右に向き合う縦枠１Ｌおよび縦枠１Ｒとからなる。
【００１６】
窓２は、窓ガラス３と、窓ガラス３の上下の縁を固定する上框２Ｔおよび下框２Ｂと、窓ガラス３の左右の縁を固定する縦框２Ｌおよび縦框２Ｒとからなり、図２に示す上下方向のヒンジ軸４を中心として窓枠１に回動可能に取り付けられている。窓２を閉じると、図３に示すように下框２Ｂの下面２Ｘと下枠１Ｂの上面１Ｘが互いに向き合う。
【００１７】
下框２Ｂの下面２Ｘには、下框２Ｂの長手方向に延びるガイド溝５が形成されており、ガイド溝５内には、スライドプレート６がスライド自在に保持されている。また、スライドプレート６の両端には、図４に示す樹脂製のガイド７が装着されており、このガイド７がガイド溝５の内面と滑り接触してスライドプレート６のスライドを円滑化している。
【００１８】
下框２Ｂと下枠１Ｂの間には、図５に示すように連結アーム８が設けられている。連結アーム８は、一端が、軸体９を介してスライドプレート６に回動可能に連結されており、他端が、軸体１０と軸体１０を支持するブラケット１１を介して、図６に示すように下枠１Ｂの上面１Ｘに回動可能に連結されている。そのため、連結アーム８は、窓２を閉じると、互いに向き合う下框２Ｂの下面２Ｘと下枠１Ｂの上面１Ｘの間に挟まれて隠れる。
【００１９】
連結アーム８の回動中心をなす軸体１０は、図２に示すように窓２の回動中心をなすヒンジ軸４から離れた位置にある。そのため、図７〜９に示すようにスライドプレート６のスライド方向の位置が窓２の開き角度に応じて変化する。
【００２０】
スライドプレート６には、図５に示すようにスライド方向に間隔をあけて複数のロック孔１２が形成されている。下框２Ｂには、スライドプレート６のロック孔１２に対して係脱可能にロックピン１３が組み込まれており、ロックピン１３は、ロック孔１２への係合方向にばね１４で付勢されている。そのため、スライドプレート６がスライドしてロック孔１２がロックピン１３の位置にくると、そのロック孔１２にロックピン１３が係合してスライドプレート６を下框２Ｂに固定し、窓２の回動を禁止する。
【００２１】
またロックピン１３は、図１０（ａ）に示すように下框２Ｂから室内に露出したロック解除摘み１５を有するロック解除プレート１６で支持されており、図１０（ｂ）に示すように、ロック解除摘み１５を持ち上げてロック孔１２から抜き取ることができるようになっている。
【００２２】
したがって、この開き窓は、各ロック孔１２に対応する位置で窓２の開き角度を固定することができ、また、ロック孔１２からロックピン１３を抜き取って別のロック孔１２に係合させることにより窓２の開き角度を調整することができる。
【００２３】
しかも、この開き窓は、スライドプレート６がガイド溝５内に隠れて目立たない。また、連結アーム８も、窓２を閉じると下框２Ｂと下枠１Ｂの間に隠れる。そのため、角度調整機構が目立たず、美観に優れる。
【００２４】
さらに、窓２が閉じたときにロック解除摘み１５が室内に露出しているので、ロック解除摘み１５を持ち上げながら窓２を閉じたときに窓２と窓枠１の間に手を挟むおそれがなく、安全である。
【００２５】
また、ロックピン１３がロック孔１２に係合してスライドプレート６をロックするので、スライドプレート６は強固に固定され、強風などで窓に大きな力が作用しても窓２の開き角度が変化しない。
【００２６】
上記実施形態においては、スライドプレート６に形成したロック孔１２にロックピン１３が係合することによりスライドプレート６を下框２Ｂに固定しているが、たとえば、スライドプレート６の側縁をスライド方向に連続する波形となし、その側縁と係合する係合部材を下框２Ｂに組み込み、その係合部材をスライドプレート６の側縁に押し当ててスライドプレート６を下框２Ｂに固定してもよく、このようにすれば窓２の開き角度を任意の角度で固定することができる。要は、スライドプレート６を下框２Ｂに固定して窓２の開き角度を固定できればよい。
【００２７】
ロック解除摘み１５は、図１０に示すようにロック解除摘み１５を収納する摘みケース１７に設けた復帰ばね１８で下方に付勢すると、下降動作がより円滑となって好ましい。
【００２８】
図１１に、この発明の第２実施形態の開き窓を示す。第２実施形態の開き窓は、ガイド溝が窓枠に形成されている点で第１実施形態と異なる。
【００２９】
この開き窓は、第１実施形態と同様に、上枠２１Ｔ、下枠２１Ｂ、縦枠２１Ｌ、縦枠２１Ｒとからなる方形の窓枠２１と、窓ガラス２３、上框２２Ｔ、下框２２Ｂ、縦框２２Ｌ、２２Ｒとからなる窓２２とを有する。窓２２は、図１２に示す上下方向のヒンジ軸２４を中心として窓枠２１に回動可能に取り付けられている。窓２２を閉じると、図１３（ａ）に示すように、下框２２Ｂの室内側の側面２２Ｘと下枠２１Ｂの室外側の側面２１Ｘが互いに向き合う。
【００３０】
下枠２１Ｂの側面２１Ｘには、下枠２１Ｂの長手方向に延びるガイド溝２５が形成されており、ガイド溝２５内には、スライドプレート２６がスライド自在に保持されている。
【００３１】
下框２２Ｂと下枠２１Ｂの間には、図１４に示すように、一端が軸体２９を介して連結アーム２８が設けられている。連結アーム２８は、一端が、軸体２９を介してスライドプレート２６に回動可能に連結されており、他端が、軸体３０とブラケット３１を介して、図１５に示すように下框２２Ｂの側面２２Ｘに回動可能に連結されている。そのため、連結アーム２８は、窓２２を閉じると、互いに向き合う下框２２Ｂの側面２２Ｘと下枠２１Ｂの側面２１Ｘの間に挟まれて隠れる。
【００３２】
スライドプレート２６には、スライド方向に間隔をあけて複数のロック孔３２が形成されている。下框２２Ｂには、図１４に示すようにスライドプレート２６のロック孔３２に対して係脱可能にロックピン３３が組み込まれており、ロックピン３３は、ロック孔３２への係合方向にばね３４で付勢されている。そのため、スライドプレート２６がスライドしてロック孔３２がロックピン３３の位置にくると、そのロック孔３２にロックピン３３が係合してスライドプレート２６を下枠２１Ｂに固定する。
【００３３】
またロックピン３３は、図１３（ａ）に示すように下枠２１Ｂから室内に露出したロック解除摘み３５を有するロック解除プレート３６で支持されており、図１３（ｂ）に示すように、ロック解除摘み３５を持ち上げてロック孔３２から抜き取ることができるようになっている。
【００３４】
したがって、この開き窓は、各ロック孔３２に対応する位置で窓２２の開き角度を固定することができ、また、ロック孔３２からロックピン３３を抜き取って別のロック孔３２に係合させることにより窓２２の開き角度を調整することができる。
【００３５】
しかも、この開き窓は、スライドプレート２６がガイド溝２５内に隠れて目立たない。連結アーム２８も閉じた窓２２と窓枠２１の間に隠れる。そのため、角度調整機構が目立たず、美観に優れる。
【００３６】
さらに、窓２２が閉じたときにロック解除摘み３５が室内に露出しているので、ロック解除摘み３５を持ち上げながら窓２２を閉じたときに窓２２と窓枠２１の間に手を挟むおそれがなく、安全である。
【図面の簡単な説明】
【００３７】
【図１】この発明の第１実施形態の開き窓を示す正面図
【図２】図１の開き窓のスライドプレートと連結アームを上面から見た図
【図３】図１の開き窓の角度調整機構を側面から見た断面図
【図４】図１の開き窓の角度調整機構を示す分解斜視図
【図５】図１の開き窓を示す正面から見た断面図
【図６】図５のＡ−Ａ線に沿った断面図
【図７】図１の開き窓が３０度開いた状態を示す平面図
【図８】図１の開き窓が６０度開いた状態を示す平面図
【図９】図１の開き窓が９０度開いた状態を示す平面図
【図１０】（ａ）は図１の開き窓のスライドプレートを固定した状態を示す断面図、（ｂ）はその固定を解除した状態を示す断面図
【図１１】この発明の第２実施形態の開き窓を示す正面図
【図１２】図７の開き窓の動作を示す平面図
【図１３】（ａ）は図７の開き窓のスライドプレートを固定した状態を示す断面図、（ｂ）はそのロックを解除した状態を示す断面図
【図１４】図１１の開き窓を正面から見た断面図
【図１５】図１４のＢ−Ｂ線に沿った断面図
【図１６】従来の角度調整器を取り付けた開き窓の正面図
【図１７】従来の角度調整器を取り付けた開き窓の平面図
【符号の説明】
【００３８】
１      窓枠
１Ｂ    下枠
２      窓
２Ｂ    下框
５      ガイド溝
６      スライドプレート
８      連結アーム
１２    ロック孔
１３    ロックピン
１４    ばね
１５    ロック解除摘み
１６    ロック解除プレート
２１      窓枠
２１Ｂ    下枠
２２      窓
２２Ｂ    下框
２５      ガイド溝
２６      スライドプレート
２８      連結アーム
３２    ロック孔
３３    ロックピン
３４    ばね
３５    ロック解除摘み
３６    ロック解除プレート
【図１】
2006283301.tif 000003
【図２】
2006283301.tif 000004
【図３】
2006283301.tif 000005
【図４】
2006283301.tif 000006
【図５】
2006283301.tif 000007
【図６】
2006283301.tif 000008
【図７】
2006283301.tif 000009
【図８】
2006283301.tif 000010
【図９】
2006283301.tif 000011
【図１０】
2006283301.tif 000012
【図１１】
2006283301.tif 000013
【図１２】
2006283301.tif 000014
【図１３】
2006283301.tif 000015
【図１４】
2006283301.tif 000016
【図１５】
2006283301.tif 000017
【図１６】
2006283301.tif 000018
【図１７】
2006283301.tif 000019